(57)【要約】【課題】直管形ランプを装着するライティングケースを利用し、他の専用回路を先行配線することができるライティングケース用ケーブル保持具を提供する。【解決手段】下面が開口する樋状を成すライティングケース１０を構成する。ライティングケース１０の開口部に開口フランジ１１を形成する。開口フランジ１１上に立設する一対の支持脚１を形成する。各支持脚１の上部から別回線Ｑを支持する支持部２を一体に形成する。開口フランジ１１上に支持脚１を立設することで別回線Ｑを保持するように構成する。【選択図】  図１
2015220095.tif 000002
【特許請求の範囲】
【請求項１】
下面が開口する樋状を成し、直管形ランプを設置するように構成されたライティングケースの開口部に形成された開口フランジに装着するケーブル保持具であって、
ライティングケースの開口フランジ上に立設する一対の支持脚と、各支持脚から上方に連設されライティングケース内の上部で別回線を支持する支持部とを備え、
支持部をライティングケースの開口部から内部に挿入すると共に、開口フランジ上に支持脚を立設することでライティングケース内の上部空間に直管形ランプ用の配線と異なる回線を保持するように構成したことを特徴とするライティングケース用ケーブル保持具。
【請求項２】
前記ライティングケースは、前記開口フランジを備えた垂直側面と、各垂直側面から内側に傾斜する傾斜面と、各傾斜面に連続する水平面とで断面六角形状を成し、
前記支持脚及び前記支持部は帯状弾性材にて一体に形成され、前記支持脚の上端部を各傾斜面に沿うように形成すると共に、水平面の下方に前記別回線を保持する前記支持部が凹状に形成された請求項１記載のライティングケース用ケーブル保持具。
【請求項３】
前記支持脚の下部相互間に一対の係止片を設け、一方の係止片端部を他方の係止片端部の上に重ねて開閉自在な挿入部を形成し、該挿入部から係止片の上に挿入するケーブルを係止片上で支持するように構成した請求項１又は２記載のライティングケース用ケーブル保持具。
【請求項４】
前記支持脚の上部外側面に係止段部を形成し、前記支持部が前記ライティングケースの開口部から内部に挿入されたときに、該係止段部が前記開口フランジの内側に係止するように構成すると共に、
前記支持脚の下部外側面に係止部を突設し、前記ライティングケースの開口部から内部に挿入した前記支持脚の係止部が前記開口フランジに係止するように構成し、
これら支持脚の係止段部と係止部を前記開口フランジの内側に順次係止させて前記支持脚を仮止めしながら前記別回線を支持した前記支持部を前記ライティングケースの開口部から内部に挿入して前記開口フランジ上に前記支持脚を立設するように構成した請求項１乃至３いずれか記載のライティングケース用ケーブル保持具。
【発明の詳細な説明】
【技術分野】
【０００１】
本発明は、直管形の蛍光灯やＬＥＤランプを装着するライティングケースを利用して、誘導灯などの他の専用回線を事前に配線することができるライティングケース用ケーブル保持具に関するものである。
【背景技術】
【０００２】
当出願人は、多数の蛍光灯器具を合理的に装着するシステムとして、特許文献１〜３に記載のシステム等を提案している。特許文献１は、多数の蛍光灯器具を連設する際に合理的な装着を可能にした連用蛍光灯システムである。この連用蛍光灯システムは、断面リップ溝形状を成した配線用ダクトをライティングケースとして利用するもので、吊り金具で配線用ダクトを懸吊し、この配線用ダクトに照明器具を装着するシステムである。
【０００３】
特許文献１のライティングケースを改良した直管形ランプ連用ケースが特許文献２に記載されている。このライティングケースは、下面が開口し、側板と天板とで断面略六角形状を成すもので、側板の長手両端部に形成した連結片と、天板の長手両端部に形成した重合片とで隣接するライティングケース相互を連結するように構成したものである。
【０００４】
特許文献１の蛍光灯器具を改良した直管形ランプ用照明装置が特許文献３に記載されている。この直管形ランプ用照明装置は、ライティングケースの開口部に装着する反射板の装着作業を容易にするもので、反射板に予めクリップ体を回転自在に装着し、クリップ体の係止部を屈曲片に係止するように構成したものである。
【先行技術文献】
【特許文献】
【０００５】
【特許文献１】特許第２６２８２３２号公報
【特許文献２】特許第５１４６８９２号公報
【特許文献３】特許第５３１４７８０号公報
【発明の概要】
【発明が解決しようとする課題】
【０００６】
特許文献１に記載の連用蛍光灯システムにおいて、配線用ダクトの内部を上下に区画分離し、区画下部に連用蛍光灯を装着し、区画上部に信号回線や制御回線等の弱電流電線を通線する例が記載されている。
【０００７】
ところが、配線用ダクトの内部を上下に区画すると、配線用ダクトの上部に配線を行う際に、配線用ダクトの長手端部からケーブルを挿通する作業になるので、配線作業が極めて困難になる。しかも、内部を上下に区画した配線用ダクトの製造に多くのコストがかかる不都合もあった。
【０００８】
一方、特許文献２に開示されているライティングケースの使用により、ライティングケース相互の連結作業や、ライティングケース下面の開口部に装着する照明装置や反射板の装着作業が容易になり、連結した直管形ランプ連用ケース内に、特許文献３のような照明装置を連続配置することが可能になっている。
【０００９】
この結果、例えば工場内のような広いスペースに多くの照明器具を設置する場合でも、このライティングケースを連結することで合理的な設置が可能になっている。ところが、工場のような広いスペースには、非常用照明や誘導灯などの専用回路を別途設置する必要がある。これらの専用回路を照明器具と同一のラインに設置する場合、照明器具を装着するために設置されたライティングケースを専用回路の配線に利用できるようにすると極めて合理的な配線工事が可能になる。
【００１０】
そこで、本発明は直管形ランプを装着するライティングケースを利用し、直管形ランプ用の配線前に、非常用照明や誘導灯などの他の専用回路をライティングケースに先行配線することができるライティングケース用ケーブル保持具の提供を目的とするものである。
【課題を解決するための手段】
【００１１】
上述の目的を達成すべく本発明における第１の手段は、下面が開口する樋状を成し、直管形ランプＰを設置するように構成されたライティングケース１０の開口部に形成された開口フランジ１１に装着するケーブル保持具であって、
ライティングケース１０の開口フランジ１１上に立設する一対の支持脚１と、各支持脚１から上方に連設されライティングケース１０内の上部で別回線Ｑを支持する支持部２とを備え、
支持部２をライティングケース１０の開口部から内部に挿入すると共に、開口フランジ１１上に支持脚１を立設することでライティングケース１０内の上部空間に直管形ランプＰ用の配線と異なる回線を保持するように構成したことにある。
【００１２】
第２の手段において、前記ライティングケース１０は、前記開口フランジ１１を備えた垂直側面１２と、各垂直側面１２から内側に傾斜する傾斜面１３と、各傾斜面１３に連続する水平面１４とで断面六角形状を成し、
前記支持脚１及び前記支持部２は帯状弾性材にて一体に形成され、前記支持脚１の上端部を各傾斜面１３に沿うように形成すると共に、水平面１４の下方に前記別回線Ｑを保持する前記支持部２が凹状に形成されたものである。
【００１３】
第３の手段は、前記支持脚１の下部相互間に一対の係止片３を設け、一方の係止片３端部を他方の係止片３端部の上に重ねて開閉自在な挿入部３Ａを形成し、該挿入部３Ａから係止片３の上に挿入するケーブルを係止片３上で支持するように構成している。
【００１４】
第４の手段は、前記支持脚１の上部外側面に係止段部４を形成し、前記支持部２が前記ライティングケース１０の開口部から内部に挿入されたときに、該係止段部４が前記開口フランジ１１の内側に係止するように構成すると共に、
前記支持脚１の下部外側面に係止部５を突設し、前記ライティングケース１０の開口部から内部に挿入した前記支持脚１の係止部５が前記開口フランジ１１に係止するように構成し、
これら支持脚１の係止段部４と係止部５を前記開口フランジ１１の内側に順次係止させて前記支持脚１を仮止めしながら前記別回線Ｑを支持した前記支持部２を前記ライティングケース１０の開口部から内部に挿入して前記開口フランジ１１上に前記支持脚１を立設するように構成したものである。
【発明の効果】
【００１５】
請求項１のように、支持部２をライティングケース１０の開口部から内部に挿入すると共に、開口フランジ１１上に支持脚１を立設することでライティングケース１０内の上部空間に別回線Ｑを保持するように構成したことで、直管形ランプＰの配線前に、非常用照明や誘導灯などの他の専用回路をライティングケース１０に先行配線することができるようになった。この結果、例えば工場のような広いスペースに、非常用照明や誘導灯などの専用回路を設置する際に、照明器具を装着するために設置されたライティングケース内に区分けして配線できるので、極めて合理的な配線工事が可能になった。
【００１６】
請求項２のごとく、前記ライティングケース１０は、前記開口フランジ１１を備えた垂直側面１２と、各垂直側面１２から内側に傾斜する傾斜面１３と、各傾斜面１３に連続する水平面１４とで断面六角形状を成し、前記支持脚１及び前記支持部２は帯状弾性材にて一体に形成され、前記支持脚１の上端部を各傾斜面１３に沿うように形成すると共に、水平面１４の下方に前記別回線Ｑを保持する前記支持部２が凹状に形成されたものであるから、断面六角形状を成したライティングケース１０の上部空間を利用した配線工事を可能にしたものである。
【００１７】
請求項３のように、前記支持脚１の下部相互間に一対の係止片３を設け、一方の係止片３端部を他方の係止片３端部の上に重ねて開閉自在な挿入部３Ａを形成し、該挿入部３Ａから係止片３の上に挿入するケーブルを係止片３上で支持するように構成したことで、直管形ランプＰ用の配線をする際に、ライティングケース１０の開口部に反射板２１等が装着されていない部分の配線を支持することが可能になる。
【００１８】
請求項４のように、支持脚１の係止段部４と係止部５を前記開口フランジ１１の内側に順次係止させて前記支持脚１を仮止めしながら前記別回線Ｑを支持した前記支持部２を前記ライティングケース１０の開口部から内部に挿入して前記開口フランジ１１上に前記支持脚１を立設するように構成したことで、支持部２に別回線Ｑを支持しながらライティングケース１０の内部に保持具を収納する作業が容易になり、しかも確実に行うことができる。
【図面の簡単な説明】
【００１９】
【図１】本発明の装着状態を示す分解斜視図である。
【図２】本発明の一実施例を示す斜視図である。
【図３】本発明の装着状態を示す正面図である。
【図４】（イ）〜（ニ）は本発明の装着手順を示す正面図である。
【図５】本発明のライティングケースを示す平面図である。
【図６】本発明のライティングケースの連結部を示す分解斜視図である。
【図７】本発明のライティングケースの連結状態を示す側面図である。
【発明を実施するための形態】
【００２０】
本発明によると、直管形ランプ等を装着するライティングケースを利用し、直管形ランプ用の配線前に、非常用照明や誘導灯などの他の専用回路をライティングケースに配線することができるなどといった当初の目的を達成した。
【００２１】
以下、本発明の実施例を説明する。本発明保持具は、直管形ランプＰ用のライティングケース１０内に、直管形ランプＰ用の配線と異なる別回線Ｑを予め保持するケーブル保持具である（図１参照）。
【００２２】
本発明で使用するライティングケース１０は、下面が開口する樋状を成し、該開口部に開口フランジ１１が形成されたもので、この開口フランジ１１にライティングユニット２０や直管形ランプＰを設置するように構成している（図１参照）。図示のライティングケース１０は、開口フランジ１１を備えた垂直側面１２と、各垂直側面１２から内側に傾斜する傾斜面１３と、各傾斜面１３に連続する水平面１４とで断面略六角形状を成している（図３参照）。
【００２３】
本発明保持具は、支持脚１及び支持部２が帯状弾性材にて一体に形成されている（図２参照）。支持脚１は、ライティングケース１０の開口フランジ１１上に立設する一対の部材である。一方、支持部２は、各支持脚１の上部から一体に形成され、ライティングケース１０内の上部で別回線Ｑを支持する部位である（図３参照）。図示例では、支持脚１の上端部を各傾斜面１３に沿うように形成すると共に、水平面１４の下方に凹状の支持部２を形成している。そして、この凹状の支持部２に別回線Ｑを保持するものである。
【００２４】
更に、支持脚１の下部相互間に一対の係止片３を設けている。そして、一方の係止片３端部を他方の係止片３端部の上に重ねて開閉自在な挿入部３Ａを形成したものである。この係止片３は、支持部２に先行配線が終わった後で、直管形ランプＰ用の配線を行う際に使用する。
【００２５】
すなわち、直管形ランプＰ用の配線は、ライティングケース１０の下部空間や、ライティングケース１０の開口部に装着するライティングユニット２０に沿って配線される（図７参照）。このとき、ライティングケース１０の開口部に直管形ランプＰが装着されていない部分の電源ケーブルをこの係止片３にて支持する（図示せず）。そして、挿入部３Ａの分離部分から係止片３の上方に電源ケーブルを押し上げると、この電源ケーブルの荷重で係止片３が閉じて電源ケーブルを支持するものである。
【００２６】
本発明を使用するには、支持部２に別回線Ｑを支持した状態で、ライティングケース１０の開口部から内部に挿入する。更に、開口フランジ１１上に支持脚１を立設すると、ライティングケース１０内の上部空間に別回線Ｑを保持することができる（図３参照）。
【００２７】
支持部２に別回線Ｑを支持した状態で、ライティングケース１０の開口部から内部に挿入する作業を容易にするために、支持脚１及び支持部２を帯状弾性材にて屈曲形成すると共に、支持脚１の上部外側面に係止段部４を形成し、支持脚１の下部外側面に係止部５を突設している（図２参照）。
【００２８】
係止段部４は、各傾斜面１３に沿うように略ハの字に形成した支持脚１の上端部をライティングケース１０の開口部から内部に挿入し、別回線Ｑを保持した支持部２がライティングケース１０の開口部から内部に挿入されたときに、開口フランジ１１の内側に係止段部４が係止される部位である（図４（イ）参照）。すなわち、支持脚１の上端部をフランジ１１の片側に係止し、支点として他の一方を内部に押し込み、開口部に合わせてそのまま持ち上げると、開口フランジ１１の内側に係止段部４が係止され、長尺な別回線Ｑをライティングケース１０の開口部に沿って仮止めすることができる。
【００２９】
一方、係止部５は、支持脚１を更に挿入したときに、この係止部５が開口フランジ１１に係止するものである（図４（ロ）参照）。このように係止部５が係止されると、支持脚１の下端が開口フランジ１１の近傍で支持脚１を仮止状態にできる。そのためこの状態から、一方の支持脚１の下端部を開口フランジ１１の内側に係止させる（図４（ハ）参照）。更に、他方の支持脚１の下端部を開口フランジ１１の内側に係止させる（同図（ニ）参照）。このように、回線Ｑを支持した支持部２をライティングケース１０の開口部から内部に挿入して開口フランジ１１上に支持脚１を立設するものである（図３参照）。このように、支持脚１の下端部を片側ずつ開口フランジ１１の上に立設させる作業が容易になるものである。
【００３０】
本発明にて使用するライティングケース１０は、天井等に吊り金具４０で吊下げられ、ライティングケース１０下部の開口部に、ライティングユニット２０を装着し、このライティングユニット２０に直管形ランプＰを連結するように設けられている（図７参照）。
【００３１】
ライティングケース１０は、連続してライティングケース１０を接続できるように構成したもので、垂直側面１２の長手両端部に連結片１５を形成している（図５参照）。この連結片１５は、隣接するライティングケース１０の開口フランジ１１上で垂直側面１２の内側に相互にネジ止めされる部材である（図６参照）。水平面１４には、長手両端部に突出し隣接するライティングケース１０に重合する重合片１４Ａを設けている。そして、隣接するライティングケース１０相互を連結する場合は、天板１４内側に重合する重合片１４Ａと、隣接するライティングケース１０の垂直側面１２の内側に重合してネジ止めされる連結片１５とで連結するものである（図６参照）。
【００３２】
ライティングユニット２０は、直管形ＬＥＤランプや直管形蛍光灯などの直管形ランプＰを連結するものである（図１参照）。図示例のライティングユニット２０は、略帯状の反射板２１と、該反射板２１の両端部に装着する直管形ランプＰ用のソケット２２と、該ソケット２２及び隣接する直管形ランプＰのソケット２２に電源を供給するコネクタ２３と、これらソケット２２及びコネクタ２３を上下に装着するマウントベース２４とで構成されたものである。直管形ランプＰ用の電源ケーブルは、反射板２１上に沿ってコネクタ２３に連結されるものである。
【００３３】
図示のライティングユニット２０は、クリップ体３０を使用して、ライティングケース１０の開口フランジ１１に固定する（図１参照）。このクリップ体３０は、反射板２１を貫通する連結ボルト３１で係止片３２を回転自在に支持し、この係止片３２をライティングケース１０の開口フランジ１１に係止するように構成したものである。
【００３４】
尚、本発明の各構成は、図示例に限定されるものではなく、本発明の要旨を変更しない範囲での設計変更は自由である。
【符号の説明】
【００３５】
Ｐ  直管形ランプ
Ｑ  別回線
１  支持脚
２  支持部
３  係止片
４  係止段部
５  係止部
１０  ライティングケース
１１  開口フランジ
２０  ライティングユニット
２１  反射板
２２  ソケット
２３  コネクタ
２４  マウントベース
２５  ソケットベース
２６  コネクタベース
３０  クリップ体
３１  連結ボルト
３２  係止片
４０  吊り金具
【図１】
2015220095.tif 000003
【図２】
2015220095.tif 000004
【図３】
2015220095.tif 000005
【図４】
2015220095.tif 000006
【図５】
2015220095.tif 000007
【図６】
2015220095.tif 000008
【図７】
2015220095.tif 000009
【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
下面が開口する樋状を成し、直管形ランプを設置するように構成されたライティングケースの開口部に形成された開口フランジに装着するケーブル保持具であって、
ライティングケースの開口フランジ上に立設する一対の支持脚と、各支持脚から上方に連設されライティングケース内の上部で別回線を支持する支持部とを備え、
支持部をライティングケースの開口部から内部に挿入すると共に、開口フランジ上に支持脚を立設することでライティングケース内の上部空間に直管形ランプ用の配線と異なる回線を保持するように構成し、
該ライティングケースは、開口フランジを備えた垂直側面と、各垂直側面から内側に傾斜する傾斜面と、各傾斜面に連続する水平面とを有し、
支持脚及び支持部は帯状弾性材にて一体に形成され、支持脚の上端部を各傾斜面に沿うように形成すると共に、水平面の下方に別回線を保持する支持部が凹状に形成されたことを特徴とするライティングケース用ケーブル保持具。
【請求項２】
前記支持脚の下部相互間に一対の係止片を設け、一方の係止片端部を他方の係止片端部の上に重ねて開閉自在な挿入部を形成し、該挿入部から係止片の上に挿入するケーブルを係止片上で支持するように構成した請求項１記載のライティングケース用ケーブル保持具。
【請求項３】
前記支持脚の上部外側面に係止段部を形成し、前記支持部が前記ライティングケースの開口部から内部に挿入されたときに、該係止段部が前記開口フランジの内側に係止するように構成すると共に、
前記支持脚の下部外側面に係止部を突設し、前記ライティングケースの開口部から内部に挿入した前記支持脚の係止部が前記開口フランジに係止するように構成し、
これら支持脚の係止段部と係止部を前記開口フランジの内側に順次係止させて前記支持脚を仮止めしながら前記別回線を支持した前記支持部を前記ライティングケースの開口部から内部に挿入して前記開口フランジ上に前記支持脚を立設するように構成した請求項１又は２記載のライティングケース用ケーブル保持具。
【手続補正２】
【補正対象書類名】明細書
【補正対象項目名】００１１
【補正方法】変更
【補正の内容】
【００１１】
上述の目的を達成すべく本発明における第１の手段は、下面が開口する樋状を成し、直管形ランプＰを設置するように構成されたライティングケース１０の開口部に形成された開口フランジ１１に装着するケーブル保持具であって、ライティングケース１０の開口フランジ１１上に立設する一対の支持脚１と、各支持脚１から上方に連設されライティングケース１０内の上部で別回線Ｑを支持する支持部２とを備え、支持部２をライティングケース１０の開口部から内部に挿入すると共に、開口フランジ１１上に支持脚１を立設することでライティングケース１０内の上部空間に直管形ランプＰ用の配線と異なる回線を保持するように構成し、該ライティングケース１０は、開口フランジ１１を備えた垂直側面１２と、各垂直側面１２から内側に傾斜する傾斜面１３と、各傾斜面１３に連続する水平面１４とを有し、支持脚１及び支持部２は帯状弾性材にて一体に形成され、支持脚１の上端部を各傾斜面１３に沿うように形成すると共に、水平面１４の下方に別回線Ｑを保持する支持部２が凹状に形成されたものである。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
第２の手段は、前記支持脚１の下部相互間に一対の係止片３を設け、一方の係止片３端部を他方の係止片３端部の上に重ねて開閉自在な挿入部３Ａを形成し、該挿入部３Ａから係止片３の上に挿入するケーブルを係止片３上で支持するように構成している。
【手続補正５】
【補正対象書類名】明細書
【補正対象項目名】００１４
【補正方法】変更
【補正の内容】
【００１４】
第３の手段は、前記支持脚１の上部外側面に係止段部４を形成し、前記支持部２が前記ライティングケース１０の開口部から内部に挿入されたときに、該係止段部４が前記開口フランジ１１の内側に係止するように構成すると共に、前記支持脚１の下部外側面に係止部５を突設し、前記ライティングケース１０の開口部から内部に挿入した前記支持脚１の係止部５が前記開口フランジ１１に係止するように構成し、これら支持脚１の係止段部４と係止部５を前記開口フランジ１１の内側に順次係止させて前記支持脚１を仮止めしながら前記別回線Ｑを支持した前記支持部２を前記ライティングケース１０の開口部から内部に挿入して前記開口フランジ１１上に前記支持脚１を立設するように構成したものである。
【手続補正６】
【補正対象書類名】明細書
【補正対象項目名】００１６
【補正方法】変更
【補正の内容】
【００１６】
また、前記ライティングケース１０は、前記開口フランジ１１を備えた垂直側面１２と、各垂直側面１２から内側に傾斜する傾斜面１３と、各傾斜面１３に連続する水平面１４とを有し、前記支持脚１及び前記支持部２は帯状弾性材にて一体に形成され、前記支持脚１の上端部を各傾斜面１３に沿うように形成すると共に、水平面１４の下方に前記別回線Ｑを保持する前記支持部２が凹状に形成されたものであるから、ライティングケース１０の上部空間を利用した配線工事を可能にしたものである。
【手続補正７】
【補正対象書類名】明細書
【補正対象項目名】００１７
【補正方法】変更
【補正の内容】
【００１７】
請求項２のように、前記支持脚１の下部相互間に一対の係止片３を設け、一方の係止片３端部を他方の係止片３端部の上に重ねて開閉自在な挿入部３Ａを形成し、該挿入部３Ａから係止片３の上に挿入するケーブルを係止片３上で支持するように構成したことで、直管形ランプＰ用の配線をする際に、ライティングケース１０の開口部に反射板２１等が装着されていない部分の配線を支持することが可能になる。
【手続補正８】
【補正対象書類名】明細書
【補正対象項目名】００１８
【補正方法】変更
【補正の内容】
【００１８】
請求項３のように、支持脚１の係止段部４と係止部５を前記開口フランジ１１の内側に順次係止させて前記支持脚１を仮止めしながら前記別回線Ｑを支持した前記支持部２を前記ライティングケース１０の開口部から内部に挿入して前記開口フランジ１１上に前記支持脚１を立設するように構成したことで、支持部２に別回線Ｑを支持しながらライティングケース１０の内部に保持具を収納する作業が容易になり、しかも確実に行うことができる。